(57)【要約】【課題】  滅菌カバーを使用する場合においても、ハンドル部に容易に足先をかけることが可能なＸ線撮影装置用フットスイッチを提供する。【解決手段】  Ｘ線撮影装置用フットスイッチ１５に滅菌カバー６０を装着するときには、予め、本体４０とハンドル部５０とを分離しておく。この状態において、本体４０全体を滅菌カバー６０により覆うようにして本体４０に滅菌カバー６０を装着する。そして、滅菌カバー６０の余裕部分を本体４０の背面に形成された開口部内に収納する。しかる後、ハンドル部５０の凸部を本体４０の開口部に挿入することにより、本体４０とハンドル部５０とを結合する。【選択図】        図５
2016171896.tif 000002
【特許請求の範囲】
【請求項１】
Ｘ線撮影装置を操作するためのフットスイッチであって、
スイッチ部を備えた本体と、
ハンドル部と、
前記本体と前記ハンドル部とを着脱自在に連結する連結機構と、
を備えたことを特徴とするＸ線撮影装置用フットスイッチ。
【請求項２】
請求項１に記載のＸ線撮影装置用フットスイッチにおいて、
前記連結機構は、
前記本体に設けられた第１結合部と、
前記ハンドル部に設けられた第２結合部と、
を備え、
前記第１結合部と前記第２結合部とを係合することにより前記本体と前記ハンドル部とを結合するＸ線撮影装置用フットスイッチ。
【請求項３】
請求項２に記載のＸ線撮影装置用フットスイッチにおいて、
前記連結機構は、
前記本体に形成された開口部と、
前記ハンドル部に形成された前記開口部の形状と対応する形状を有する凸部と、
を備え、
前記本体の開口部内に前記ハンドル部の凸部を挿入することにより、前記本体の開口部を前記ハンドル部により覆うようにして前記本体と前記ハンドル部とを結合するＸ線撮影装置用フットスイッチ。
【請求項４】
請求項２に記載のＸ線撮影装置用フットスイッチにおいて、
前記連結機構は、
前記本体の両側に形成された一対の凸部と、
前記ハンドル部に形成された一対の孔部と、を備え、
前記孔部内に前記凸部を挿入することにより、前記本体と前記ハンドル部とを結合する線撮影装置用フットスイッチ。
【発明の詳細な説明】
【技術分野】
【０００１】
この発明は、Ｘ線撮影装置を操作するためのＸ線撮影装置用フットスイッチに関する。
【背景技術】
【０００２】
一般Ｘ線撮影やＸ線透視を実行するためのＸ線撮影装置においては、例えば、Ｘ線を曝射するためにフットスイッチが使用される。このようなＸ線撮影用フットスイッチは、スイッチ部を備えた本体と、この本体に付設されたハンドル部とを備える。特許文献１および特許文献２には、スイッチ部を備えた本体と、この本体に付設されたハンドル部とを備えたＸ線撮影装置用フットスイッチが開示されている。
【先行技術文献】
【特許文献】
【０００３】
【特許文献１】特開２００８−０３６２７８号公報
【特許文献２】特開２００２−２５３５４７号公報
【発明の概要】
【発明が解決しようとする課題】
【０００４】
上述したハンドル部は、「取っ手」あるいは「把手」とも呼称される部材であり、本来は、フットスイッチを手で持って移動させる場合に使用されるものである。しかしながら、例えば、手技中においてＸ線透視を実行しながらフットスイッチを操作する場合においてフットスイッチを移動させる必要が生じたときには、医師等の術者は、ハンドル部に足先をかけてフットスイッチを移動させている。
【０００５】
一方、手術時に使用されるＸ線撮影装置用のフットスイッチは、清潔である必要があることから、手術時には滅菌カバーを被せる必要がある。この滅菌カバーは、開口部がゴムにより囲まれた透明ビニール製の構造を有する。この滅菌カバーをフットスイッチに被せた場合においては、カバーが邪魔になり術者はハンドル部にうまく足先をかけることができないという問題が生ずる。
【０００６】
この発明は上記課題を解決するためになされたものであり、滅菌カバーを使用する場合においても、ハンドル部に容易に足先をかけることが可能なＸ線撮影装置用フットスイッチを提供することを目的とする。
【課題を解決するための手段】
【０００７】
請求項１に記載の発明は、Ｘ線撮影装置を操作するためのフットスイッチであって、スイッチ部を備えた本体と、ハンドル部と、前記本体と前記ハンドル部とを着脱自在に連結する連結機構と、を備えたことを特徴とする。
【０００８】
請求項２に記載の発明は、請求項１に記載の発明において、前記連結機構は、前記本体に設けられた第１結合部と、前記ハンドル部に設けられた第２結合部と、を備え、前記第１結合部と前記第２結合部とを係合することにより前記本体と前記ハンドル部とを結合する。
【０００９】
請求項３に記載の発明は、請求項２に記載の発明において、前記連結機構は、前記本体に形成された開口部と、前記ハンドル部に形成された前記開口部の形状と対応する形状を有する凸部と、を備え、前記本体の開口部内に前記ハンドル部の凸部を挿入することにより、前記本体の開口部を前記ハンドル部により覆うようにして前記本体と前記ハンドル部とを結合する。
【００１０】
請求項４に記載の発明は、請求項２に記載の発明において、前記連結機構は、前記本体の両側に形成された一対の凸部と、前記ハンドル部に形成された一対の孔部と、を備え、前記孔部内に前記凸部を挿入することにより、前記本体と前記ハンドル部とを結合する。
【発明の効果】
【００１１】
請求項１に記載の発明によれば、本体からハンドル部を取り外した後、本体に滅菌カバーを被せ、しかる後、再度本体にハンドル部を装着することにより、滅菌カバーを装着した場合においても、ハンドル部が滅菌カバーで覆われることを防止することができる。このため、滅菌カバーを使用する場合においても、ハンドル部に容易に足先をかけることが可能となる。
【００１２】
請求項２から請求項４に記載の発明によれば、凸部と凹部とを嵌合して本体とハンドル部とを結合することから、本体とハンドル部とを容易に着脱自在に連結することが可能となる。
【図面の簡単な説明】
【００１３】
【図１】この発明に係るＸ線撮影装置用フットスイッチ１５が使用されるＸ線撮影装置の斜視図である。
【図２】この発明の第１実施形態に係るＸ線撮影装置用フットスイッチ１５を正面側から見た斜視図である。
【図３】この発明の第１実施形態に係るＸ線撮影装置用フットスイッチ１５を背面側から見た部分斜視図である。
【図４】滅菌カバー６０の斜視図である。
【図５】この発明の第１実施形態に係るＸ線撮影装置用フットスイッチ１５に滅菌カバー６０を装着する状態を示す説明図である。
【図６】この発明の第２実施形態に係るＸ線撮影装置用フットスイッチ１５の斜視図である。
【図７】この発明の第２実施形態に係るＸ線撮影装置用フットスイッチ１５の斜視図である。
【図８】この発明の第２実施形態に係るＸ線撮影装置用フットスイッチ１５に滅菌カバー６０を装着する状態を示す説明図である。
【発明を実施するための形態】
【００１４】
以下、この発明の実施の形態を図面に基づいて説明する。図１は、この発明に係るＸ線撮影装置用フットスイッチ１５が使用されるＸ線撮影装置の斜視図である。
【００１５】
このＸ線撮影装置は、その内部にＸ線管を備え、検診台１上の被検者２に対してＸ線を照射するＸ線照射部３と、被検者２を通過したＸ線を検出するＸ線検出器４とを備える。Ｘ線照射部３とＸ線検出器４とは、略Ｃ字状のアーム５により支持されている。このアーム５は、天井９に固定されたガイド部材７に案内されることにより一方向に移動するキャリッジ６に支持されている。また、複数のモニター１１とガード部材１２を備えた画像表示部８が天井９から懸垂されている。この画像表示部８は、懸垂機構３０を介して懸垂されており、天井９に配設されたレール２０により案内されて移動可能となっている。さらに、検診台１の支持部１３付近の床には、Ｘ線の曝射等のＸ線撮影装置の操作を操作者の足によって実行するためのこの発明に係るＸ線撮影装置用フットスイッチ１５が載置されている。
【００１６】
次に、この発明に係るＸ線撮影装置用フットスイッチ１５の構成について説明する。図２は、この発明の第１実施形態に係るＸ線撮影装置用フットスイッチ１５を正面側から見た斜視図である。また、図３は、この発明の第１実施形態に係るＸ線撮影装置用フットスイッチ１５を背面側から見た部分斜視図である。
【００１７】
この発明に係るＸ線撮影装置用フットスイッチ１５は、本体４０とハンドル部５０とから構成される。
【００１８】
本体４０は、図２に示すように、ベース板４４と、このベース板４４上に配設された３個のスイッチ部４１、４２、４３と、電機部品等が収納される筐体４５とを備える。また、この本体４０の背面側には、図３に示すように、矩形状の開口部４６が形成されている。この開口部４６は、筐体４５における背面側に形成された凹部を構成し、その内部は中空となっている。なお、３個のスイッチ部４１、４２、４３のうち、スイッチ部４１はＸ線照射部３からのＸ線の曝射を実行するときに使用され、スイッチ部４２は検診台１を移動するときに使用され、スイッチ部４３はアーム５を移動するときに使用される。
【００１９】
ハンドル部５０は、先端部が折り曲げられた略コの字状をなす把手５１と、この把手５１に連結された裏蓋５２と、裏蓋５２から突出する凸部５３とから構成される。この凸部５３は、本体４０における矩形状の開口部４６と対応する形状を有する。そして、ハンドル部５０の凸部５３が本体４０の開口部４６内に挿入されることにより、ハンドル部５０と本体４０とが結合される。
【００２０】
図４は、滅菌カバー６０の斜視図である。
【００２１】
この滅菌カバー６０は、透明なビニール等の樹脂から構成された袋部６１と、この袋部６１における開口部を取り囲むように配設されたゴム６２とから構成される。このような滅菌カバー６０は、病院に常設されているものであり、手術を実行する場合に、正常性を要求される各器具を覆うようにして配設されるものである。
【００２２】
図５は、この発明の第１実施形態に係るＸ線撮影装置用フットスイッチ１５に滅菌カバー６０を装着する状態を示す説明図である。
【００２３】
この第１実施形態に係るＸ線撮影装置用フットスイッチ１５に滅菌カバー６０を装着するときには、予め、本体４０とハンドル部５０とを分離しておく。この状態において、本体４０全体を滅菌カバー６０により覆うようにして本体４０に滅菌カバー６０を装着する。そして、滅菌カバー６０の余裕部分を本体４０の背面に形成された開口部４６内に収納する。しかる後、ハンドル部５０の凸部５３を本体４０の開口部４６に挿入することにより、本体４０とハンドル部５０とを結合する。
【００２４】
これにより、Ｘ線撮影装置用フットスイッチ１５における本体４０は滅菌カバー６０により覆われる一方で、ハンドル部５０は滅菌カバー６０により覆われることなく露出する。従って、医師等の術者が手技中においてＸ線透視を実行しながらＸ線撮影装置用フットスイッチ１５を操作する場合においてＸ線撮影装置用フットスイッチ１５を移動させる必要が生じたときには、医師等の術者は、ハンドル部５０に足先をかけてＸ線撮影装置用フットスイッチ１５を容易に移動させることが可能となる。
【００２５】
なお、滅菌カバー６０に覆われないハンドル部５０は、予め、消毒しておくこととする。このとき、このハンドル部５０は、樹脂や金属の簡易な部品であるため、その全体を消毒することは容易である。
【００２６】
次に、この発明に係るＸ線撮影装置用フットスイッチ１５の他の実施形態について説明する。図６および図７は、この発明の第２実施形態に係るＸ線撮影装置用フットスイッチ１５の斜視図である。ここで、図６は本体４０に対してハンドル部５０を装着した状態を示し、図７は本体４０からハンドル部５０を取り外した状態を示している。なお、上述した第１実施形態と同様の部材については、同一の符号を付して詳細な説明を省略する。
【００２７】
この第２実施形態に係るＸ線撮影装置用フットスイッチ１５においては、筐体４５の背面側に開口部は形成されておらず、筐体４５の背面側は塞がれている。また、筐体４５の左右には、一対のピン４７が凸設されている。一方、この第２実施形態に係るＸ線撮影装置用フットスイッチ１５においては、ハンドル部５０は、可撓性を有する金属等からなる薄板を屈曲させて構成された把手５８から構成される。この把手５８の両側の下端部には、凹部を構成する孔部５９が穿設されている。
【００２８】
図８は、この発明の第２実施形態に係るＸ線撮影装置用フットスイッチ１５に滅菌カバー６０を装着する状態を示す説明図である。
【００２９】
この第２実施形態に係るＸ線撮影装置用フットスイッチ１５に滅菌カバー６０を装着するときには、図８（ａ）に示すように、予め、本体４０とハンドル部５０とを分離しておく。この状態において、本体４０全体を滅菌カバー６０により覆うようにして本体４０に滅菌カバー６０を装着する。また、図８(ｂ)に示すように、ハンドル部５０を撓ませてその下端部を広げる。しかる後、ハンドル部５０の孔部５９に対して本体４０のピン４７を挿入することにより、図８（ｃ）に示すように、本体４０とハンドル部５０とを結合する。
【００３０】
これにより、Ｘ線撮影装置用フットスイッチ１５における本体４０は滅菌カバー６０により覆われる一方で、ハンドル部５０は滅菌カバー６０により覆われることなく露出する。従って、医師等の術者が手技中においてＸ線透視を実行しながらＸ線撮影装置用フットスイッチ１５を操作する場合においてＸ線撮影装置用フットスイッチ１５を移動させる必要が生じたときには、医師等の術者は、ハンドル部５０に足先をかけてＸ線撮影装置用フットスイッチ１５を容易に移動させることが可能となる。
【００３１】
なお、この場合においても、滅菌カバー６０に覆われないハンドル部５０は、予め、消毒しておくこととする。このとき、このハンドル部５０は、金属等の簡易な部品であるため、その全体を消毒することは容易である。
【符号の説明】
【００３２】
１      検診台
２      被検者
３      Ｘ線照射部
４      Ｘ線検出器
５      アーム
６      キャリッジ
８      画像表示部
１５    Ｘ線撮影装置用フットスイッチ
４０    本体
４１    スイッチ部
４２    スイッチ部
４３    スイッチ部
４４    ベース板
４５    筐体
４６    開口部
４７    ピン
５０    ハンドル部
５１    把手
５２    裏蓋
５３    凸部
５８    把手
５９    孔部
６０    滅菌カバー
６１    袋部
６２    ゴム
【図１】
2016171896.tif 000003
【図２】
2016171896.tif 000004
【図３】
2016171896.tif 000005
【図４】
2016171896.tif 000006
【図５】
2016171896.tif 000007
【図６】
2016171896.tif 000008
【図７】
2016171896.tif 000009
【図８】
2016171896.tif 000010